(57)【特許請求の範囲】
【請求項１】
点光源と、複数の所定形状の照光部が互いに中間部材によって結合されたハウジングとを備える照明装置において、
前記ハウジングは、
前記複数の所定形状の照光部及び中間部材にわたって一体に形成された底面と、前記底面の周囲を囲むように立設された側面と、前記側面によって形成された開口と、前記開口を覆う放射側反射手段とを備え、
前記底面及び前記側面の内面はそれぞれ光を反射及び乱反射させる部材で形成されており、
前記放射側反射手段は、前記複数の所定形状の照光部に対応する位置では一部光を透過、反射及び乱反射する所定の反射率を有する光透過反射部材で形成され、前記中間部材に対応する位置では光非透過性の反射部材で形成されており、
前記点光源は、前記ハウジングの前記中間部材に対応する位置の底面上又は前記放射側反射手段の内面上に設けられていることを特徴とする照明装置。
【請求項２】
前記放射側反射手段は、前記中間部材に対応する位置から離間するに従って光透過量が大きくなる開口又はスリットが形成されていることを特徴とする請求項１に記載の照明装置。
【請求項３】
前記点光源は、１個の発光ダイオード又は複数個の発光ダイオードの集合体で形成されていることを特徴とする請求項１に記載の照明装置。
【請求項４】
前記ハウジングの前記底面の内面、前記側面の内面及び前記放射側反射手段の前記複数の所定形状の照光部に対応する位置は、それぞれ超微細発泡光反射部材で形成されていることを特徴とする請求項１に記載の照明装置。
【請求項５】
前記底部と前記放射側反射手段との間の距離は、前記中間部材から離間するにしたがって小さくなるようになされていることを特徴とする請求項１に記載の照明装置。
【請求項６】
前記複数の所定形状の照光部の前記放射側反射手段の外側表面は、光透過性のガラス又はプラスチックで被覆されていることを特徴とする請求項１に記載の照明装置。
【請求項７】
前記複数の所定形状の照光部の前記放射側反射手段の外側表面は、所定模様の光不透過性部材又は光半透過性部材が配置されていることを特徴とする請求項１に記載の照明装置。
【請求項８】
前記放射側反射手段と前記底面との間には、透明固体部材が配置されていることを特徴とする請求項１に記載の照明装置。
【請求項９】
前記ハウジングの前記中間部材に対応する位置の底面上には前記点光源が設けられており、前記放射側反射手段の前記中間部材に対応する位置の内面には先端が前記点光源と対向する位置となるように円錐状又は多角錐上の反射部材が配置されていることを特徴とする請求項１〜８のいずれかに記載の照明装置。
【請求項１０】
前記ハウジングの前記中間部材に対応する位置の底面上には前記点光源が設けられており、前記放射側反射手段の前記中間部材に対応する位置の内面には複数個の凸状反射部材が形成されていることを特徴とする請求項１〜８のいずれかに記載の照明装置。
【請求項１１】
請求項１〜１０のいずれかに記載の照明装置と、
前記照明装置の前記側面の高さよりも深い窪みが形成され、前記窪み内に前記照明装置が配置された外側ケースと、
前記照明装置の前記中間部材に対応する位置の前記放射側反射手段上に配置された押え部材と、
を備えることを特徴とするドリンクホルダ。
【請求項１２】
前記押え部材の上部と前記外側ケースの上部とは同一面とされていることを特徴とする請求項９に記載のドリンクホルダ。
【請求項１３】
前記外側ケースには、車両のアームレスト又はエアコンの吹き出し口に取付るための取付手段が設けられていることを特徴とする請求項１１又は１２に記載のドリンクホルダ。
【請求項１４】
前記外側ケースは、車両のドア内側、センターコンソール、インストルメントパネル、アームレストに直接固定又は内部から引き出し可能に取り付けられていることを特徴とする請求項１１又は１２に記載のドリンクホルダ。
【発明の詳細な説明】
【技術分野】
【０００１】
この発明は、照明装置及びこれを用いたドリンクホルダに関し、詳しくは、光源にＬＥＤのような指向性の強い点光源を用いて、夜間走行時等の車内が暗い場合でも缶飲料、コップないしペットボトル等の飲料容器の載置場所が容易に分かるようにした照明装置及びこれを用いたドリンクホルダに関する。
【背景技術】
【０００２】
従来、車両の車内には、ドアの内側、センターコンソール、インストルメントパネル、アームレスト等に缶飲料、コップないしペットボトル等の飲料容器を固定するためのドリンクホルダが形成されている。また、エアコンの吹き出し口やアームレストに取り付け可能とされたドリンクホルダも知られている。しかしながら、夜間走行時には車内の照明を落とすため、運転者や同乗者にとりこれらのドリンクホルダの位置が分かり難いという課題がある。
【０００３】
このような夜間走行時等にもドリンクホルダの位置が分かるようにする目的で、ドリンクホルダ自体に直接照明手段を設けた例が下記特許文献１に示されている。この下記特許文献１に開示されているドリンクホルダは、ドリンクホルダの外表面に発光ダイオード（以下、「ＬＥＤ」という。）を設け、このＬＥＤを電池によりパルス駆動することによって、長時間にわたってドリンクホルダの位置が運転者ないし同乗者に分かるようにしたものである。
【先行技術文献】
【特許文献】
【０００４】
【特許文献１】特開２０００−１６４３７３号公報
【特許文献２】特開２０１０−１５３３７０号公報
【発明の概要】
【発明が解決しようとする課題】
【０００５】
上記特許文献１に開示されているドリンクホルダによれば、ドリンクホルダに設けられた発光ダイオードがパルス的に発光するため、運転者ないし同乗者がドリンクホルダの位置を容易に確認することができる。しかしながら、ＬＥＤはドリンクホルダの外表面に形成されているため、ＬＥＤの発光強度が弱い場合にはＬＥＤの指向性が強いためにドリンクホルダの飲料容器の載置位置が分かり難く、ＬＥＤの発光強度を強くすると、ドリンクホルダの飲料容器の載置位置が分かり易くなるが、運転者にとっては眩しく感じられるために車両の安全運転の妨げになる。このような問題点は、特にドリンクホルダに複数箇所の飲料容器の載置場所が形成されている場合には顕著に表れる。
【０００６】
本発明は、このような従来技術の問題点を解決するためになされたものであり、その目的はＬＥＤ等の点光源を使用しながらも、ドリンクホルダの複数箇所の飲料容器の載置位置がわかりやすく、しかも、運転者に眩しく感じられないようにして車両の安全運転の妨げとならないようにした照明装置及びこれを用いたドリンクホルダを提供することをと目的とする。
【課題を解決するための手段】
【０００７】
上記目的を達成するため、本発明の照明装置は、
点光源と、複数の所定形状の照光部が互いに中間部材によって結合されたハウジングとを備える照明装置において、
前記ハウジングは、
前記複数の所定形状の照光部及び中間部材にわたって一体に形成された底面と、前記底面の周囲を囲むように立設された側面と、前記側面によって形成された開口と、前記開口を覆う放射側反射手段とを備え、
前記底面及び前記側面の内面はそれぞれ光を反射及び乱反射させる部材で形成されており、
前記放射側反射手段は、前記複数の所定形状の照光部に対応する位置では一部光を透過、反射及び乱反射する所定の反射率を有する反射部材で形成され、前記中間部材に対応する位置では光非透過性の反射部材で形成されており、
前記点光源は、前記ハウジングの前記中間部材に対応する位置の底面上又は前記放射側反射手段の内面上に設けられていることを特徴とする。
【０００８】
本発明の照明装置においては、ハウジングの中間部材に対応する位置の底面上又は放射側反射手段の内面上には点光源が設けられているが、中間部材に対応する位置の放射側反射手段は光非透過性の反射部材で形成されているために光が外部に放射されない。それに対し、複数の所定形状の照光部に対応する位置の放射側反射手段は、一部光を透過、反射及び乱反射する所定の反射率を有する反射部材で形成されているため、光が外部に放射される。すなわち、本発明の照明装置においては、ハウジングの底面及び側面内面は光を反射及び乱反射させる部材で形成されているから、ハウジングの中間部材に対応する位置の底面上又は放射側反射手段の内面上に設けられている点光源からの光は、底面、側面及び放射側反射手段によって多重に反射及び拡散されて、複数の所定形状の照光部と対向する位置の放射側反射手段を経て外部に放射される。
【０００９】
そのため、本発明の照明装置によれば、１つの点光源を用いて、中間部材に対応する位置では光を放射せず、複数の所定形状の照光部からのみ光を放射することができるようになるので、この複数の所定形状の照光部を照明手段として利用することができるようになる。なお、複数の所定形状の照光部の平面視の形状は、円形、楕円形、四角形、多角形等、任意の形状を採用することができる。また、この複数の所定形状の照光部から外部に放射される光は、指向性が弱いので、眩しく感じられることがない。
【００１０】
また、本発明の照明装置においては、前記放射側反射手段は、前記中間部材に対応する位置から離間するに従って光透過量が大きくなる開口又はスリットが形成されていることが好ましい。
【００１１】
本発明の照明装置においては、点光源からの光は、多重に反射及び拡散されて複数の所定形状の照光部と対向する位置の放射側反射手段を経て外部に放射される。そのため、放射側反射手段に中間部材に対応する位置から離間するに従って光透過量が大きくなる開口又はスリットが形成されていると、その開口又はスリットの形状及び大きさを適宜に設定することによって、複数の所定形状の照光部全体にわたって均一な明るさとなるようにすることができるようになる。
【００１２】
また、本発明の照明装置においては、前記点光源は、１個のＬＥＤ又は複数個のＬＥＤの集合体で形成されているものを用いることができる。
【００１３】
ＬＥＤは単一でも高輝度のものが得られるが、複数の所定形状の照光部の平面視の面積によっては単一のＬＥＤでは輝度が足らなくなる間合いがある。本発明の照明装置によれば、単一のＬＥＤでは輝度が足らない場合でも、複数個のＬＥＤの集合体で形成されているものを用いることによって、所望の明るさを有する照明手段を得ることができるようになる。
【００１４】
また、本発明の照明装置においては、前記ハウジングの前記底面の内面、前記側面の内面及び前記放射側反射手段の前記複数の所定形状の照光部に対応する位置は、それぞれ超微細発泡光反射部材で形成されていることが好ましい。
【００１５】
超微細発泡光反射部材は光を多方向に散乱反射させることができる。そのため、本発明の照明装置によれば、複数の所定形状の照光部においてより均一な光強度となるようにすることができる。
【００１６】
また、本発明の照明装置においては、前記底部と前記放射側反射手段との間の距離は、前記中間部材から離間するにしたがって小さくなるようになされているものとすることもできる。
【００１７】
このような構成を採用すると、中間部材から離間した位置の底面に向かう光の割合が増加するので、複数の所定形状の照光部においてより均一な光強度となるようにすることができる。
【００１８】
また、本発明の照明装置においては、前記複数の所定形状の照光部の前記放射側反射手段の外側表面は、光透過性のガラス又はプラスチックあるいは光透過性の拡散板で被覆されていることが好ましい。
【００１９】
本発明の照明装置によれば、複数の所定形状の照光部の放射側反射手段の外側表面が光透過性のガラス又はプラスチックあるいは光透過性の拡散板で被覆されているため、放射側反射手段の表面及び照明装置の内部が汚れ難くなる。しかも、外部からの液滴やゴミ等が複数の所定形状の照光部側に付着することがあっても、これらの液滴やゴミ等は光透過性のガラス又はプラスチックあるいは光透過性の拡散板の表面に付着するので、清掃することにより容易に所定の明るさを回復することができるようになる。
【００２０】
また、本発明の照明装置においては、前記複数の所定形状の照光部の前記放射側反射手段の外側表面は、所定模様の光不透過性部材又は光半透過性部材が配置されているものとしてもよい。
【００２１】
本発明の照明装置によれば、光不透過性部材又は光半透過性部材で形成された所定模様を所定形状の照光部からの光により照らすことになるので、所定模様が浮き上がるように視認されるようになり、美観に優れた所定模様を表示することができるようになる。
【００２２】
また、本発明の照明装置においては、前記放射側反射手段と前記底面との間には、透明固体部材が配置されていることが好ましい。
【００２３】
本発明の照明装置によれば、放射側反射手段と底面との間に形成される空隙に透明固体部材が配置されているので、放射側反射手段の外部表面上にある程度質量が大きい物体を載せても透明固体部材は変形し難いため、強度の強い照明装置が得られる。なお、透明固体部材は、放射側反射手段と底面との間の全体にわたって設けても、あるいは、所定形状の照光部における放射側反射手段と底面との間にのみ設けてもよい。
【００２４】
また、本発明の照明装置においては、前記ハウジングの前記中間部材に対応する位置の底面上には前記点光源が設けられており、前記放射側反射手段の前記中間部材に対応する位置の内面には先端が前記点光源と対向する位置となるように円錐状又は多角錐状の反射部材が配置されているものとしてもよい。
【００２５】
このような構成を採用すると、点光源からの光は放射側反射手段側で内部に向かって良好に反射されるが、中間部材から離間した位置の底面に向かう光の割合が増加するので、複数の所定形状の照光部においてより均一な光強度となるようにすることができる。
【００２６】
また、本発明の照明装置においては、前記ハウジングの前記中間部材に対応する位置の底面上には前記点光源が設けられており、前記放射側反射手段の前記中間部材に対応する位置の内面には複数個の凸状反射部材が形成されているものとしてもよい。
【００２７】
このような構成を採用すると、点光源からの光は放射側反射手段側で内部に向かって良好に拡散反射されるため、複数の所定形状の照光部から外部に放射される光は、より指向性が弱くなるので、より眩しく感じられることがなくなる。
【００２８】
さらに、上記目的を達成するため、本発明のドリンクホルダは、上記いずれかに記載の照明装置と、
前記照明装置の前記側面の高さよりも深い窪みが形成され、前記窪み内に前記照明装置が配置された外側ケースと、前記照明装置の前記中間部材に対応する位置の前記放射側反射手段上に配置された押え部材と、を備えることを特徴とする。
【００２９】
本発明のドリンクホルダは、上述のいずれかの照明装置が外側ケースに形成された窪み内に配置され、この照明装置は押え部材によって外側ケース内に固定されている。そして、外側ケースに形成された窪みは照明装置の側面の高さよりも深いので、照明装置の複数の所定形状の照光部は外側ケースに形成された窪みの底側に位置し、また、照明装置の中間部材に対応する位置は押え部材が配置されている。
【００３０】
そのため、本発明のドリンクホルダによれば、外側ケースに形成された窪みの底部で照明装置の複数の所定形状の照光部が発光するため、夜間走行時の運転者でも容易に飲料容器の載置位置を見出すことができるようになる。加えて、本発明のドリンクホルダで使用されている照明装置は指向性が弱いので、眩しく感じられることがなく、しかも、複数の所定形状の照光部はその上部に飲料缶が載置されると光が遮られるため、夜間走行時の運転者でも容易に空いている複数の所定形状の照光部、すなわち飲料缶を載置できる位置を見出すことができるようになる。
【００３１】
また、本発明のドリンクホルダにおいては、前記押え部材の上部と前記外側ケースの上部とは同一面とされていることが好ましい。
【００３２】
押え部材の上部と外側ケースの上部とが同一面とされていると、飲料容器を載置できる位置以外に凹凸がなくなる。そのため、本発明のドリンクホルダによれば、所定位置に飲料容器を載置しやすくなる。
【００３３】
また、本発明のドリンクホルダにおいては、前記外側ケースには、車両のアームレスト又はエアコンの吹き出し口に取付るための取付手段が設けられているものとすることができる。さらに、本発明のドリンクホルダにおいては、前記外側ケースは、車両のドア内側、センターコンソール、インストルメントパネル、アームレストに直接固定又は内部から引き出し可能に取り付けられているものとすることができる。
【００３４】
本発明のドリンクホルダによれば、外側ケースに所定の取り付け手段を設けることにより，或いは車両の所定の位置に直接固定又は内部から引き出し可能に取り付けるようにすることで、車両内の様々な場所にドリンクホルダを設置できるようになる。
【図面の簡単な説明】
【００３５】
【図１】第１実施形態に係る照明装置の分解斜視図である。
【図２】図１のII−II線に沿った断面図である。
【図３】図３Ａ〜図３Ｅはそれぞれ変形例１〜変形例５の照明装置の図２に対応する部分の断面図である。
【図４】図４Ａは２個の所定構造の照光部の形状が四角形の場合の放射側反射手段の平面図であり、図４Ｂは４個の円形の所定構造の照光部を備える場合の放射側反射手段の平面図である。
【図５】図５Ａは実施形態２のドリンクホルダの斜視図であり、図５Ｂは同じく分解斜視図である。
【図６】従来の面照明光源装置の斜視図である。
【図７】図６のVII−VII線に沿った断面図である。
【発明を実施するための形態】
【００３６】
以下、本発明の実施形態を図面を用いて説明する。ただし、以下に示す実施形態は、本発明の技術思想を具体化するための照明装置及びドリンクホルダを例示するものであって、本発明をこれらの照明装置及びドリンクホルダに特定することを意図するものではなく、特許請求の範囲に含まれるその他の実施形態のものにも等しく適応し得るものである。
【００３７】
最初に、本発明の照明装置の動作原理の説明のため、上記特許文献２に開示されている面照明光源装置を図６及び図７を用いて説明する。なお、図６は特許文献２に開示されている面照明光源装置の斜視図であり、図７は図６のVII−VII線に沿った断面図である。
【００３８】
この面照明光源装置５０は、１つ若しくは複数の集合体よりなるＬＥＤ等の点光源５１と、点光源５１が中央部に固定された箱型のケーシング５２と、ケーシング５２の開口部に固定された光導通反射板５３とを備えている。点光源５１は、ここでは一つの発光素子あるいは複数の発光素子を有するＬＥＤが用いられている。ケーシング５２は、方形の底板５４と、この底板５４の４辺から一体に延出する４つの側板５５と、開口とを有している。ケーシング５２の底板５４には中央に点光源５１が設置されるための装着孔５６が設けられている。なお、底板５４は、面照明光源装置５０の設置状態によっては天井面となることもあり、また側面となることもある。
【００３９】
ケーシング５２は、高い光反射率を有する材料、例えば光反射率９８％、光透過率１％および光吸収率１％の特性を有する超微細発泡光反射板等の材料で形成されおり、ケーシング５２の内壁面において点光源５１からの光を高い光反射率で反射することができる。底板５４とそれぞれの側板５５の境界線には折り曲げ部５７が形成されている。そして、それぞれの側板５５を折り曲げ部５７に沿って折り曲げ、角部５８を互いに当接及び嵌合させることにより、ケーシング５２が形成されている。
【００４０】
ケーシング５２の開口は光導通反射板５３によって覆われ、光導通反射板５３は開口側縁辺に固定される。この光導通反射板５３は、点光源５１の直上部分に中央光導通反射部６０が設けられ、中央光導通反射部６０の外周囲に外方光導通反射部６１が設けられている。光導通反射板５３は、弾性及び所定の肉厚を有し、また高い光反射率と低い光透過率を有する超微細発泡光反射部材等の材料で形成される。
【００４１】
この面照明光源装置５０としては、図７に示されるように、点光源５１からの放射光束がそれぞれ矢印で示されるように、光導通反射板５３に設けた中央光導通反射部６０と外方光導通反射部６１の作用により、略均一な光となって外部に放射されるものである。なお、より均一な光を求める場合には、光導通反射板５３の外方に拡散板を設けることもある。これにより、点光源５１からの光を高い光反射率で反射し、効率よく利用することができ、また点光源５１の真上部分においても一定の光が透過するので、点光源５１の真上部分が暗くなりすぎることがない。
【００４２】
中央光導通反射部６０の中央部は高光反射率に形成されており、点光源５１から放射される強い光を反射し、さらにその反射光がケーシング５２の内壁面及び光導通反射板５３によって多重反射するようになっている。中央光導通反射部６０の光反射率は、光学反射板材の選択、この材料の加工（例えば、ハーフ溝の形成や、板厚の調整など）によって適宜設定され、これによって、光を効率よく利用することができるようになる。
【００４３】
中央光導通反射部６０の周辺、すなわち外方光導通反射部６１との境界部には小孔６０ａが設けられ、中央光導通反射部６０に次いで光反射率を高くする一方で、一部の光を透過させるように設計されている。なお、この小孔６０ａはスリット、細溝などに代えることもできる。外方光導通反射部６１には、円形の開孔６１ａが、光導通反射板５３を垂直に貫通するよう、所定間隔で形成されている。開孔６１ａの孔径は中央光導通反射部６０から外方へ離れるにしたがって徐々に大きくなるようになされている。
【００４４】
このような構成の面照明光源装置５０によれば、点光源５１として指向性の強いＬＥＤを用いても、光導通反射板５３を通過して外方へ放出される光は光導通反射板５３の全面に亘って均一化されるので、明るさのバラツキのない面照明光源装置５０が得られるというものである。
【００４５】
［第１実施形態］
次に、本発明の第１実施形態に係る照明装置を図１〜図４を用いて説明する。なお、図１は第１実施形態に係る照明装置の分解斜視図であり、図２は図１のII−II線に沿った断面図である。図３Ａ〜図３Ｅはそれぞれ変形例１〜変形例５の照明装置の図２に対応する部分の断面図である。図４Ａは２個の所定構造の照光部の形状が四角形の場合の放射側反射手段の平面図であり、図４Ｂは４個の円形の所定構造の照光部を備える場合の放射側反射手段の平面図である。
【００４６】
この第１実施形態に係る照明装置１０は、図６及び図７に示した従来の面照明光源装置の動作原理を利用したものであるが、その形状が大きく相違している。すなわち、第１実施形態に係る照明装置１０は、２つの所定形状の照光部１０ａ及び１０ｂを備えており、この２つの所定形状の照光部１０ａ及び１０ｂには中間部材１０ｃが存在している。
【００４７】
この照明装置１０は、底面１１と、底面１１の周囲を囲むように立設された側面１２と、この側面１２によって形成された開口を覆う放射側反射手段１３とから形成されたハウジング１４を備えている。このうち、ハウジング１４の底面１１の内面及び側面１２の内面は、いずれも超微細発泡光反射部材で形成され、この部分に入射した光を拡散反射するようになされている。また、ＬＥＤ等の指向性の強い点光源１６が中間部材１０ｃに対応する位置の底面１１のほぼ中央に設けられている。
【００４８】
さらに、放射側反射手段１３は、複数の所定形状の照光部１０ａ、１０ｂに対応する位置では、上述した従来の照明装置５０の光導通反射板５３と同様に、一部光を透過、反射及び乱反射する所定の反射率を有する超微細発泡光反射部材からなる光透過反射部材１３ａで形成されている。それに対し、中間部材１０ｃに対応する位置では、上述した従来の照明装置５０の中央光導通反射部６０とは異なり、光非透過性の反射部材１３ｂで形成されている。そして、光透過反射部材１３ａは、中間部材１０ｃに対応する位置から離間するに従って径が大きくなる複数の開口１５が形成されている。
【００４９】
このような構成の照明装置１０によれば、ハウジング１４の中間部材１０ｃに対応する位置の底面１１上に設けられたＬＥＤ等の点光源１６から放射された光のうち、中間部材１０ｃに対応する位置の放射側反射手段１３に入射する光は、図２に示すように、この部分が光非透過性の反射部材１３ｂによって形成されているため、全て内面側に反射されるため、外部に放射されない。
【００５０】
また、光非透過性の反射部材１３ｂによって反射された反射光はハウジング１４の底面１１の内面及び側面１２の内面に入射することによって拡散反射され、さらに光非透過性の反射部材１３ｂとハウジング１４の底面１１の内面及び側面１２の内面との間で多重に反射及び拡散される。そして、複数の所定形状の照光部１０ａ、１０ｂに対応する位置の放射側反射手段１３は、一部光を透過、反射及び乱反射する所定の反射率を有する反射部材１３ａで形成されていると共に開口１５が形成されているので、この部分から光が外部に放射される。
【００５１】
しかも、複数の所定形状の照光部１０ａ、１０ｂに対応する位置の放射側反射手段１３に形成されている複数の開口１５は、中間部材１０ｃに対応する位置から離間するに従って径が大きくなるようになされている。そのため、複数の開口１５の径を適宜調整することにより、上述した従来技術の面照明光源装置５０の場合と同様に、複数の所定形状の照光部１０ａ、１０ｂに対応する位置の放射側反射手段１３を経て外部に放射される光の光強度が均一となるようにすることができる。
【００５２】
そのため、実施形態１の照明装置１０によれば、１つの点光源１６を用いて、中間部材１０ｃに対応する位置では光を放射せず、複数の所定形状の照光部１０ａ、１０ｂからのみ光強度が均一な光を放射することができるようになるので、この複数の所定形状の照光部１０ａ、１０ｂを照明手段として利用することができるようになる。また、この複数の所定形状の照光部１０ａ、１０ｂから外部に放射される光は、指向性が弱いので、眩しく感じられることがない。
【００５３】
［変形例］
上述の実施形態１の照明装置１０では、ＬＥＤ等の点光源１６をハウジング１４の中間部材１０ｃに対応する位置の底面１１に設けるとともに、この中間部材１０ｃに対応する位置の放射側反射手段１３の光非透過性の反射部材１３ｂの形状を平坦面とした例を示した。しかしながら、本発明の照明装置では、中間部材１０ｃからは光を外部に放射しないので、中間部材１０ｃに対応する位置の放射側反射手段１３の内面に積極的に光を照明装置のない部に反射ないし拡散反射させる手段を形成してもよい。
【００５４】
例えば、図３Ａに示した変形例１の照明装置１０Ａのように、中間部材１０ｃに対応する位置の放射側反射手段１３の内面に先端が点光源１６と対向する位置となるように円錐状又は多角錐状の反射部材１７が配置されているものとしてもよい。この変形例１の照明装置１０Ａによれば、点光源１６からの光は中間部材１０ｃに対応する位置の放射側反射手段１３側で内部に向かって良好に反射されるが、中間部材１０ｃから離間した位置の底面に向かう光の割合が増加するので、複数の所定形状の照光部１０ａ、１０ｂにおいてより均一な光強度となるようにすることができる。
【００５５】
また、図３Ｂに示した変形例２の照明装置１０Ｂのように、中間部材１０ｃに対応する位置の放射側反射手段１３の内面に複数個の凸状反射部材１８が形成されているものとしてもよい。この場合においても、点光源１６からの光は放射側反射手段１３に形成された複数個の凸部１８によってで内部に向かって良好に拡散反射されるため、複数の所定形状の照光部１０ａ、１０ｂから外部に放射される光は、より指向性が弱くなるので、より眩しく感じられることがなくなる。
【００５６】
また、上述の実施形態１の照明装置１０では、図２に示したように、底面１１が平坦面とされた例を示した。しかしながら、図３Ｃに示した変形例３の照明装置１０Ｃのように、底面１１が中間部材１０ｃから離間するに従って底面１１と放射側反射手段１３との間の距離Ｌが短くなるように変形されているものとしてもよい。このような構成を備えた変形例３の照明装置１０Ｃによれば、中間部材１０ｃから離間した位置の底面１１に向かう光の割合が増加するので、複数の所定形状の照光部１０ａ、１０ｂにおいてより均一な光強度となるようにすることができる。
【００５７】
また、上述の実施形態１の照明装置１０では、図２に示したように、放射側反射手段１３と底面１１との間に空隙が形成されている例を示した。このような構成であると、放射側反射手段１３の外部表面上に外力が加わった場合ないし物体を載せた場合には放射側反射手段１３が撓んでしまう可能性がある。しかしながら、図３Ｄに示した変形例４の照明装置１０Ｄのように、少なくとも所定形状の照光部１０ａ、１ｂに対応する位置において、放射側反射手段１３ａと底面１１との間に透明固体部材１９を配置すると、所定形状の照光部１０ａ、１ｂに対応する位置の放射側反射手段１３ａ上にある程度質量が大きい物体を載せても、透明固体部材は２５変形し難いために放射側反射手段１３ａも変形せず、外部に耐えることができる照明装置１０Ｄが得られる。なお、透明固体部材１９は、放射側反射手段１３と底面１１との間の全体にわたって設けても、あるいは、所定形状の照光部１０ａ、１０ｂにおける放射側反射手段１３ａと底面との間にのみに設けてもよい。
【００５８】
また、上述の実施形態１の照明装置１０では、ＬＥＤ等の点光源１６をハウジング１４の底面１１に設けた例を示した。しかしながら、図３Ｅに示した変形例５の照明装置１０Ｅのように、点光源１６を中間部材１０ｃに対応する位置の放射側反射手段１３の内面に形成しても、実施形態１の照明装置１０と同様の作用効果を奏することができる。
【００５９】
なお、実施形態１の照明装置１０、変形例１〜５の照明装置１０Ａ〜１０Ｅでは、放射側反射手段１３が剥き出しのために表面が汚れやすく、しかも、放射側反射手段１３には開口１５が形成されているため、外部からの液滴やゴミ等が内部に入ってしまい、底面１１及び側面１２が汚れて性能低下が生じることがある。そのため、複数の所定形状の照光部１０ａ、１０ｂにおける放射側反射手段１３の外側表面を光透過性のガラス又はプラスチックあるいは光透過性の拡散板（図示省略）で被覆してもよい。このような構成を採用すると、放射側反射手段１３の表面及び照明装置１０の内部が汚れ難くなり、しかも、外部からの液滴やゴミ等が光透過性のガラス又はプラスチックあるいは光透過性の拡散板の表面側に付着することがあっても、これらの液滴やゴミ等は容易に清掃できるので、容易に所定の明るさを回復することができるようになる。
【００６０】
また、所定形状の照光部１０ａ、１０ｂにおける放射側反射手段１３ａ上面若しくは内面に所定模様の光不透過性部材又は光半透過性部材（図示省略）を設けてもよい。このような構成を採用すると、光不透過性部材又は光半透過性部材で形成された所定模様を所定形状の照光部１０ａ、１０ｂからの光により照らすことになるので、所定模様が浮き上がるように視認されるようになり、美観に優れた所定模様を表示することができるようになる。
【００６１】
また、実施形態１の照明装置１０、変形例１〜５の照明装置１０Ａ〜１０Ｅでは、２個の所定形状の照光部１０ａ、１０ｂの平面視の形状が共に円形状の例を示した。しかしながら、所定形状の照光部１０ａ、１０ｂの形状は、楕円形状でも、図４Ａに示したような四角形状でも、さらには多角形状でもよく、当業者が用途に応じて任意に決定し得る。なお、図４Ａにおいては、実施形態１の照明装置１０、変形例１〜５の照明装置１０Ａ〜１０Ｅと同一の構成部分には同一の参照符号を付与してその詳細な説明は省略する。
【００６２】
さらに、実施形態１の照明装置１０、変形例１〜５の照明装置１０Ａ〜１０Ｅでは、所定形状の照光部の数が２個の場合を示したが、本発明の照明装置では所定形状の照光部の数は２個以上とすることもできる。例えば、４個の所定形状の照光部（１０ａ〜１０ｄ）を設けた場合には、図４Ｂに示したような構成となるが、この場合であっても実施形態１の照明装置１０の場合と同様の作用効果を奏することができる。なお、図４Ｂにおいては、実施形態１の照明装置１０、変形例１〜５の照明装置１０Ａ〜１０Ｅと同一の構成部分には同一の参照符号を付与してその詳細な説明は省略する。また、実施形態１の照明装置１０、変形例１〜５の照明装置１０Ａ〜１０Ｅにおいては、点光源１６へ給電するためのリード線は、図示省略したが、適宜ハウジング１４内に溝ないし孔を形成することにより、容易に配置することができる。
【００６３】
［実施形態２］
次に、実施形態２として、実施形態１の照明装置１０を用いたドリンクホルダ２０について、図５を用いて説明する。なお、図５Ａは実施形態２のドリンクホルダの斜視図であり、図５Ｂは同じく分解斜視図である。
【００６４】
このドリンクホルダ２０は、実施形態１の照明装置１０の側面１２の高さよりも深い窪み２１が形成された外側ケース２２を有し、この外側ケース２２に形成された窪み２１内に上述した照明装置１０が載置されている。そして、この照明装置１０の中間部材１０ｃに対応する位置は押え部材２３によって外側ケース２２内に固定されていおり、押え部材２３の最上位の高さは外側ケース２２の高さと同一となるようにされている。この場合、照明装置１０の形状と外側ケース２２に形成された窪み２１の形状とは、窪み２１内で照明装置１０が動かないようにするため、少なくとも長さ方向の両端部で同一となるようにされていることが好ましい。
【００６５】
このような構成のドリンクホルダ２０によれば、外側ケース２２に形成された窪み２１は照明装置１０の側面１２の高さよりも深いので、照明装置１０の複数の所定形状の照光部１０ａ、１０ｂは外側ケース２２に形成された窪み２１の底側に位置するようになり、窪み２１は、照明装置１０が挿入された状態で、側壁２４が立設された状態となる。従って、実施形態２のドリンクホルダ２０によれば、窪み２１の底で照明装置１０の所定形状の照光部１０ａ、１０ｂが発光するため、夜間走行時の運転者でも容易に飲料容器の載置位置を見出すことができるようになる。
【００６６】
加えて、このドリンクホルダ２０で使用されている照明装置１０は指向性が弱いので、眩しく感じられることがなく、しかも、窪み２１内に飲料缶が挿入されて複数の所定形状の照光部１０ａ、１０ｂの上部に飲料缶が載置されると、光が遮られるため、夜間走行時の運転者でも容易に空いている複数の所定形状の照光部１０ａ、１０ｂ、すなわち飲料缶を載置できる位置を見出すことができるようになる。しかも、実施形態２のドリンクホルダ２０によれば、押え部材２３の上部と外側ケース２２の上部とは同一面とされているので、飲料容器を載置できる位置以外に凹凸が無くなるため、所定位置に飲料容器を載置しやすくなる。
【００６７】
なお、上記実施形態２に係るドリンクホルダ２０においては、照明装置として実施形態１の照明装置１０を用いた例を示したが、変形例１〜４の照明装置１０Ａ〜１０Ｄを用いることもできる。また、実施形態２に係るドリンクホルダ２０においては、車両に取り付けるための構成については説明を省略したが、周知の車両用ドリンクホルダのように、車両のアームレスト又はエアコンの吹き出し口に取付るための取付手段を外側ケース２２に形成したり、或いは、車両のドア内側、センターコンソール、インストルメントパネル、アームレスト等に直接固定又は内部から引き出し可能にするための手段を外側ケース２２に取り付けてもよい。
【符号の説明】
【００６８】
１０：照明装置  
１０ａ、１０ｂ：所定形状の照光部  
１０ｃ：中間部材  
１１：底面  
１２：側面  
１３：放射側反射手段  
１３ａ：所定の反射率を有する光透過反射部材  
１３ｂ：光非透過性の反射部材  
１４：ハウジング  
１５：開口  
１６：点光源  
１７：円錐状又は多角錐状の反射部材  
１８：凸状反射部材  
１９：透明固体部材
２０：ドリンクホルダ  
２１：窪み  
２２：外側ケース  
２３：押え部材  
２４：（窪みの）側壁  
【図１】
0005668248.tif 000002
【図２】
0005668248.tif 000003
【図３】
0005668248.tif 000004
【図４】
0005668248.tif 000005
【図５】
0005668248.tif 000006
【図６】
0005668248.tif 000007
【図７】
0005668248.tif 000008